(57)【要約】【課題】大容量の情報の表示が可能な大型の表示部を装備しつつ、筐体の小型化を図ることができ、携帯性を向上し得る携帯端末装置を提供する。【解決手段】携帯電話機１の筐体本体２を、固定側筐体３と、該固定側筐体３に一端が接続された表示部としてのディスプレイ４の他端側を巻き取った巻取り側筐体５とから構成し、前記固定側筐体３から離反させる方向へ巻取り側筐体５をスライドさせることにより、該巻取り側筐体５に巻き取られたディスプレイ４が引き出され、該ディスプレイ４に映し出された情報をユーザーが視認できるようにし、又、逆に前記固定側筐体３に近接させる方向へ巻取り側筐体５をスライドさせることにより、該巻取り側筐体５から引き出されていたディスプレイ４が再び巻取り側筐体５に巻き取られるようにする。【選択図】図２
2006279841.tif 000002
【特許請求の範囲】
【請求項１】
少なくとも巻取り側筐体を含む筐体本体と、前記巻取り側筐体に巻き取られて格納可能な表示部と、該表示部を制御する制御部とを有する携帯端末装置であって、
前記表示部は、可撓性を有すると共に、前記巻取り側筐体から引き出される方向と直交する断面が湾曲形状を与えられ、
前記巻取り側筐体は、前記表示部の巻取り時に前記断面を湾曲形状から平面に戻しつつ内部に格納する格納手段と、前記表示部の引き出し量を検出する引き出し量検出手段とを備え、
前記制御部は、前記引き出し量検出手段で検出された表示部の引き出し量に基づき、該表示部の引き出された箇所に対してのみ表示を行わせるよう制御することを特徴とする携帯端末装置。
【請求項２】
前記表示部は、前記巻取り側筐体から引き出される方向と直交する断面における両幅端部に、前記巻取り側筐体から引き出される方向と平行な緩衝部を有し、
該緩衝部は、前記巻取り側筐体に巻き取られて重なる表示部同士の間に介在し、該表示部同士が直接接触して重ならないようにすることを特徴とする請求項１記載の携帯端末装置。
【請求項３】
前記筐体本体は、前記表示部の巻取り側筐体に巻き取られる側と反対側の端部が取り付けられる固定側筐体を有し、
前記制御部は、前記固定側筐体に配設されることを特徴とする請求項１記載の携帯端末装置。
【請求項４】
前記表示部は、前記巻取り側筐体から引き出される方向と直交する断面における両幅端部に、前記巻取り側筐体から引き出される方向と平行な緩衝部を有し、
該緩衝部は、前記巻取り側筐体に巻き取られて重なる表示部同士の間に介在し、該表示部同士が直接接触して重ならないようにすることを特徴とする請求項３記載の携帯端末装置。
【請求項５】
前記巻取り側筐体は、電子部品を有し、
前記緩衝部は、前記制御部と前記電子部品とを電気的に接続する信号線を内包することを特徴とする請求項４記載の携帯端末装置。
【請求項６】
前記固定側筐体は、通信網に接続するための無線通信部を有し、
前記緩衝部は、前記無線通信部に接続されるアンテナの少なくとも一部を内包することを特徴とする請求項４記載の携帯端末装置。
【請求項７】
前記巻取り側筐体は、前記表示部の引き出し方向と平行に前記固定側筐体へ向けて延出する補強部材を備え、
前記固定側筐体は、前記補強部材の巻取り側筐体と反対側の端部を摺動可能に保持する保持部を備え、
前記引き出し量検出手段は、前記保持部における前記補強部材の位置を検出することにより、前記表示部の引き出し量を検出することを特徴とする請求項３乃至６のいずれか一つに記載の携帯端末装置。 
【発明の詳細な説明】
【技術分野】
【０００１】
本発明は、携帯端末装置に関するものである。
【背景技術】
【０００２】
近年、携帯端末装置としての携帯電話機は携帯性の向上のために小型化が進んでいるが、その反面、電話機としての機能に加えてインターネットや各種情報の出力端末としての機能が追加されて大容量の情報の表示が可能な大型の表示部が要求されるようになってきている。
【０００３】
斯かる大型の表示部を備えた携帯電話機としては、従来、例えば、特許文献１に記載されたようなものが存在し、これは、携帯電話機は、表面に各種キー等からなる操作部が設けられた扁平形状の第一の筐体と、表面に表示部が設けられた第二の筐体とを互いにスライド自在に連結してなるものである。
【特許文献１】特開２００３−３１９６８号公報
【発明の開示】
【発明が解決しようとする課題】
【０００４】
しかしながら、前述の如き従来の携帯電話機では、表示部は筐体の表面に固定配置されているため、該表示部を大型化すればその分、筐体も大きくならざるを得ず、小型化には限界があった。
【０００５】
本発明は、斯かる実情に鑑み、大容量の情報の表示が可能な大型の表示部を装備しつつ、筐体の小型化を図ることができ、携帯性を向上し得る携帯端末装置を提供しようとするものである。
【課題を解決するための手段】
【０００６】
本発明は、少なくとも巻取り側筐体を含む筐体本体と、前記巻取り側筐体に巻き取られて格納可能な表示部と、該表示部を制御する制御部とを有する携帯端末装置であって、
前記表示部は、可撓性を有すると共に、前記巻取り側筐体から引き出される方向と直交する断面が湾曲形状を与えられ、
前記巻取り側筐体は、前記表示部の巻取り時に前記断面を湾曲形状から平面に戻しつつ内部に格納する格納手段と、前記表示部の引き出し量を検出する引き出し量検出手段とを備え、
前記制御部は、前記引き出し量検出手段で検出された表示部の引き出し量に基づき、該表示部の引き出された箇所に対してのみ表示を行わせるよう制御することを特徴とする携帯端末装置にかかるものである。
【０００７】
前記携帯端末装置において、前記表示部は、前記巻取り側筐体から引き出される方向と直交する断面における両幅端部に、前記巻取り側筐体から引き出される方向と平行な緩衝部を有し、
該緩衝部は、前記巻取り側筐体に巻き取られて重なる表示部同士の間に介在し、該表示部同士が直接接触して重ならないようにすることが有効となる。
【０００８】
又、前記携帯端末装置において、前記筐体本体は、前記表示部の巻取り側筐体に巻き取られる側と反対側の端部が取り付けられる固定側筐体を有し、
前記制御部は、前記固定側筐体に配設されることができる。
【０００９】
この場合、前記表示部は、前記巻取り側筐体から引き出される方向と直交する断面における両幅端部に、前記巻取り側筐体から引き出される方向と平行な緩衝部を有し、
該緩衝部は、前記巻取り側筐体に巻き取られて重なる表示部同士の間に介在し、該表示部同士が直接接触して重ならないようにすることが有効となる。
【００１０】
そして、前記巻取り側筐体は、電子部品を有し、
前記緩衝部は、前記制御部と前記電子部品とを電気的に接続する信号線を内包することができる。
【００１１】
又、前記固定側筐体は、通信網に接続するための無線通信部を有し、
前記緩衝部は、前記無線通信部に接続されるアンテナの少なくとも一部を内包することができる。
【００１２】
更に又、前記巻取り側筐体は、前記表示部の引き出し方向と平行に前記固定側筐体へ向けて延出する補強部材を備え、
前記固定側筐体は、前記補強部材の巻取り側筐体と反対側の端部を摺動可能に保持する保持部を備え、
前記引き出し量検出手段は、前記保持部における前記補強部材の位置を検出することにより、前記表示部の引き出し量を検出することができる。
【発明の効果】
【００１３】
本発明の携帯端末装置によれば、大容量の情報の表示が可能な大型の表示部を装備しつつ、筐体の小型化を図ることができ、携帯性を向上し得るという優れた効果を奏し得る。
【発明を実施するための最良の形態】
【００１４】
以下、本発明の実施の形態を添付図面を参照して説明する。
【００１５】
図１〜図５は本発明を実施する形態の一例であって、携帯端末装置としての携帯電話機１の筐体本体２を、固定側筐体３と、該固定側筐体３に一端が接続された表示部としてのディスプレイ４の他端側を巻き取った巻取り側筐体５とから構成し、前記固定側筐体３から離反させる方向へ巻取り側筐体５をスライドさせることにより、該巻取り側筐体５に巻き取られたディスプレイ４が引き出され、該ディスプレイ４に映し出された情報をユーザーが視認できるようにし、又、逆に前記固定側筐体３に近接させる方向へ巻取り側筐体５をスライドさせることにより、該巻取り側筐体５から引き出されていたディスプレイ４が再び巻取り側筐体５に巻き取られるようにしたものである。
【００１６】
前記ディスプレイ４としては、例えば、薄型化が可能で可撓性を有し、低電力で高い輝度を得ることができ、視認性、応答速度、寿命、消費電力の点で優れた有機ＥＬディスプレイ（organic electroluminescence display）を用いることができる。
【００１７】
前記巻取り側筐体５の内部には、図２（ａ），（ｂ）に示す如く、固定軸６を中心としてドラム７を回転自在に配設し、該ドラム７の外周に前記ディスプレイ４を巻き付け、前記固定軸６とドラム７との間に、前記ディスプレイ４の巻取り方向へドラム７を回転させるための力を付与する巻取用バネ８を配設して、ディスプレイ４の格納手段９を構成してあり、図２（ａ）に示す状態から、巻取り側筐体５を固定側筐体３から離反させる方向へスライドさせてディスプレイ４を引き出すと、ドラム７が図２中、反時計方向に回転し、巻取用バネ８が固定軸６に巻き付けられ、図示していないロック機構により所望の位置でロックして停止させることができると共に、更に最大で図２（ｂ）に示す状態までディスプレイ４を引き出すことができ、又、前記ロック機構によるロックを解除すると、前記巻取用バネ８が元に戻ろうとする力で前記ドラム７が図２中、時計方向に回転し、ディスプレイ４を巻き戻すことができるようにしてある。
【００１８】
又、前記巻取り側筐体５からは、前記ディスプレイ４の裏面側に配置されるよう棒状の補強部材１０を、前記ディスプレイ４の引き出し方向と平行に前記固定側筐体３へ向けて延出し、該補強部材１０の先端部には、補強部材１０の外周面から突出するロック片１１を、外力を受けた際に埋没し得るよう配設すると共に、前記固定側筐体３の内部には、前記補強部材１０の巻取り側筐体５と反対側の端部を摺動可能に保持する鞘状の保持部１２を設け、該保持部１２の長手方向における複数の所要箇所（図２の例では四箇所）には、前記ロック片１１を係止可能な係止溝１３を形成してある。前記ディスプレイ４を引き出した際にディスプレイ４が曲がらないように前記補強部材１０によりバックアップするだけでなく、前記保持部１２における前記補強部材１０の位置を可変抵抗等を用いて検出することにより、前記ディスプレイ４の引き出し量を検出する引き出し量検出手段１４を構成してある。引き出し量検出手段１４は、それぞれの係止溝１３内にスイッチを設け、ロック片１１がこのスイッチのいずれを押圧するかにより、引き出し量検出させるよう構成させても良い。尚、図２中、１５は固定側筐体３内に設けられた基板であり、該基板１５には、前記ディスプレイ４用のドライバ１６、並びに制御部１７等が設けられている。
【００１９】
そして、前記表示部としてのディスプレイ４は、図５に示す如く、前記ドライバ１６を介して前記制御部１７に接続し、該制御部１７には、前記引き出し量検出手段１４を接続してあり、前記制御部１７は、前記引き出し量検出手段１４で検出されたディスプレイ４の引き出し量、即ち前記ロック片１１がどの位置の係止溝１３に係止されているかに基づき、該ディスプレイ４の引き出された箇所に対して、例えば、段階的に、時計のみの表示、メール・着信表示、スケジュールの表示等を適宜割り付けて制御するようにしてある。尚、前記制御部１７には、前記ディスプレイ４と引き出し量検出手段１４の他に、携帯電話機１として必要となる、マイク１８やスピーカ１９が接続される音声処理部２０、アンテナ２１が接続される無線通信部２２、データを記憶するメモリ２３、図示していないキーが接続される操作部２４等も接続されるようになっている。
【００２０】
一方、前記ディスプレイ４の巻取り側筐体５から引き出される方向と直交する断面における両幅端部には、図１及び図３に示す如く、前記巻取り側筐体５に巻き取られて重なるディスプレイ４同士の間に介在され且つ該ディスプレイ４同士が直接接触して重ならないようにするための緩衝部２５を、前記巻取り側筐体５から引き出される方向と平行に延びるよう形成してある。
【００２１】
ここで、前記巻取り側筐体５には、図１及び図５に示す如く、音声を発する電子部品としてのスピーカ１９を設け、音声処理部２０を介して前記固定側筐体３に設けられる制御部１７に接続する必要があり、又、固定側筐体３には、図５に示す如く、通信網に接続するためにアンテナ２１を無線通信部２２を介して前記制御部１７に接続する必要がある。このため、図３に示す如く、前記制御部１７と前記スピーカ１９とを電気的に接続する信号線２６を一方の緩衝部２５に内包すると共に、前記無線通信部２２に接続されるアンテナ２１を他方の緩衝部２５に内包するようにしてある。
【００２２】
又、巻取り側筐体５におけるディスプレイ４の出入口部分には、図２及び図３に示す如く、ディスプレイ４の幅方向中央部に位置するようローラー２７を回転自在に配設し、該ローラー２７により、前記巻取り側筐体５から引き出されるディスプレイ４の動きを円滑化すると共に、図３に示す如く、前記巻取り側筐体５から引き出される方向と直交する方向におけるディスプレイ４の断面が湾曲形状となるようにし、前記補強部材１０によるバックアップに加えて、ディスプレイ４を引き出した際の剛性を、該ディスプレイ４自体で高めるようにしてある。
【００２３】
尚、前記ディスプレイ４の裏面側に配置される棒状の補強部材１０を、図３に示す如く、ディスプレイ４の幅方向中央部に配設する代わりに、図４に示す如く、両幅端部に配設することにより、前記巻取り側筐体５から引き出される方向と直交する方向におけるディスプレイ４の断面を平坦形状となるようにすることも可能であり、このようにしてもディスプレイ４を安定した状態に保つことは可能となる。又、前記巻取り側筐体５から引き出される方向と直交する方向におけるディスプレイ４の断面を湾曲形状或いは平坦形状のいずれか一方に限定するのではなく、そのバリエーションとして、前記巻取り側筐体５から引き出される方向と直交する方向におけるディスプレイ４の断面を、巻取り側筐体５の出入口部分で湾曲形状とし且つ固定側筐体３へ向け徐々に平坦形状となるようにすることも可能である。
【００２４】
次に、上記図示例の作用を説明する。
【００２５】
携帯電話機１の待ち受け時等には、図１（ａ）及び図２（ａ）に示す如く、固定側筐体３に巻取り側筐体５を近接させた状態となっており、ディスプレイ４は巻取り側筐体５に巻き取られている。
【００２６】
ここで、前記ディスプレイ４の巻取り側筐体５から引き出される方向と直交する断面における両幅端部には、図１及び図３に示す如く、前記巻取り側筐体５から引き出される方向と平行に延びる緩衝部２５を形成してあり、該緩衝部２５が前記巻取り側筐体５に巻き取られて重なるディスプレイ４同士の間に介在されるため、該ディスプレイ４同士が直接接触して重なる際に、ディスプレイ４の表面が擦れて傷つくことが避けられる。
【００２７】
前記携帯電話機１の着信時、メール受信時、或いはウェブ閲覧時等には、前記固定側筐体３から離反させる方向へ巻取り側筐体５をスライドさせると、図１（ｂ）及び図２（ｂ）に示す如く、巻取り側筐体５に巻き取られたディスプレイ４が引き出され、該ディスプレイ４に映し出された情報をユーザーが視認できるようになる。
【００２８】
ここで、前記巻取り側筐体５におけるディスプレイ４の出入口部分には、図２及び図３に示す如く、ディスプレイ４の幅方向中央部に位置するようローラー２７を回転自在に配設してあるため、前記ディスプレイ４は、巻取り側筐体５から円滑に引き出されると共に、補強部材１０によりバックアップされ、しかも、図３に示す如く、前記巻取り側筐体５から引き出される方向と直交する方向におけるディスプレイ４の断面を湾曲形状となるようにした場合には、前記補強部材１０によるバックアップに加えて、ディスプレイ４を引き出した際の剛性が該ディスプレイ４自体で高められ、展開した状態を安定して維持することが可能となる。
【００２９】
又、前記ディスプレイ４は、図１（ｂ）及び図２（ｂ）に示す如く、完全に引き出すだけではなく、前記補強部材１０のロック片１１が保持部１２の係止溝１３に係止される位置で段階的に引き出すことも可能であり、この場合、引き出し量検出手段１４で検出されたディスプレイ４の引き出し量、即ち前記ロック片１１がどの位置の係止溝１３に係止されているかに基づき、例えば、第一段階の引き出し位置で時計のみを表示し、第二段階の引き出し位置でメール・着信表示を行い、第三段階の引き出し位置でスケジュールの表示を行うといった、引き出し量の少ない段階には使用頻度の多い表示アプリケーションを、逆に引き出し量の多い段階には使用頻度の少ない表示アプリケーションを割り付けるという割り付け制御も可能となる。これにより、よりスピーディな操作感を実現することも可能となる。尚、ディスプレイ４の引き出し量に基づく表示の割り付けは更に細分化しても良いことは言うまでもない。
【００３０】
更に又、図３に示す如く、前記制御部１７と前記スピーカ１９とを電気的に接続する信号線２６を一方の緩衝部２５に内包すると共に、前記無線通信部２２に接続されるアンテナ２１を他方の緩衝部２５に内包するようにしてあるため、信号線２６とアンテナ２１が干渉することを防ぎつつ、スペースをより効率的に利用できる。
【００３１】
こうして、大容量の情報の表示が可能な大型の表示部としてのディスプレイ４を装備しつつ、筐体本体２の小型化を図ることができ、携帯性を向上し得る。
【００３２】
図６は本発明を実施する形態の他の例であって、図中、図１〜図５と同一の符号を付した部分は同一物を表わしており、基本的な構成は図１〜図５に示すものと同様であるが、本図示例の特徴とするところは、図６に示す如く、固定側筐体３の内部に設けられる保持部１２を、その巻取り側筐体５側の端部が固定側筐体３の表面寄りに位置し、且つ巻取り側筐体５と反対側の端部が固定側筐体３の裏面寄りに位置するよう傾斜配置すると共に、それに合わせて補強部材１０及び基板１５も傾斜させ、又、巻取り側筐体５の固定側筐体３に対する対向面と該巻取り側筐体５表面とのなす角度を鋭角化すると共に、それに合わせて固定側筐体３の巻取り側筐体５に対する対向面と該固定側筐体３表面とのなす角度を鈍角化し、更に前記鋭角化した巻取り側筐体５の角部にスピーカ１９を取り付けるようにした点にある。
【００３３】
図６に示す例の如く構成すると、図１〜図５に示すものと同様の作用効果が得られることに加え更に、図６（ａ）に示す状態から図６（ｂ）に示す如くディスプレイ４を引き出して通話を行う際、スピーカ１９と固定側筐体３表面に設けられるマイク（図示せず）とが同一平面上に位置するのではなく、両者の間に若干の角度が形成されるため、通話時のこちらの声をマイクで拾いやすくなると共に、前記角部に取り付けられたスピーカ１９により相手の声が聞きやすくなる。又、前記巻取り側筐体５に内蔵するスピーカ１９のスペースを確保しやすくすることも可能となる。
【００３４】
尚、本発明の携帯端末装置は、上述の図示例にのみ限定されるものではなく、携帯電話機に限らず、ＰＤＡ等の携帯端末装置にも適用可能なこと等、その他、本発明の要旨を逸脱しない範囲内において種々変更を加え得ることは勿論である。
【図面の簡単な説明】
【００３５】
【図１】本発明を実施する形態の一例を示す正面図であって、（ａ）は表示部を引き出していない状態を示す図、（ｂ）は表示部を引き出した状態を示す図である。
【図２】本発明を実施する形態の一例を示す側断面図であって、（ａ）は表示部を引き出していない状態を示す図、（ｂ）は表示部を引き出した状態を示す図である。
【図３】図１のＩＩＩ−ＩＩＩ断面相当図であって、表示部の巻取り側筐体から引き出される方向と直交する断面を湾曲形状とした例を示す図である。
【図４】図１のＩＩＩ−ＩＩＩ断面相当図であって、表示部の巻取り側筐体から引き出される方向と直交する断面を平坦形状とした例を示す図である。
【図５】本発明を実施する形態の一例における制御ブロック図である。
【図６】本発明を実施する形態の他の例を示す側断面図であって、（ａ）は表示部を引き出していない状態を示す図、（ｂ）は表示部を引き出した状態を示す図である。
【符号の説明】
【００３６】
１  携帯電話機（携帯端末装置）
２  筐体本体
３  固定側筐体
４  ディスプレイ（表示部）
５  巻取り側筐体
６  固定軸
７  ドラム
８  巻取用バネ
９  格納手段
１０  補強部材
１２  保持部
１４  引き出し量検出手段
１７  制御部
１９  スピーカ（電子部品）
２１  アンテナ
２２  無線通信部
２５  緩衝部
２６  信号線
【図１】
2006279841.tif 000003
【図２】
2006279841.tif 000004
【図３】
2006279841.tif 000005
【図４】
2006279841.tif 000006
【図５】
2006279841.tif 000007
【図６】
2006279841.tif 000008